(57)【要約】【課題】支間部、支点部において必要に応じた的確なプレストレスを導入することができるコンクリート連続構造体及びコンクリート連続構造体の製造方法を提供する。【解決手段】少なくとも３箇所で支持するコンクリートの連続構造体である。構造体の上縁側に負の曲げモーメント抵抗用の緊張材を直線配置してある。配置する緊張材はコンクリートへ付着する付着部と、付着しないアンボンド部とを設けてある。付着部は主に負の曲げモーメントが発生する区間に配置してあり、付着しないアンボンド部は、負の曲げモーメントが働かない区間に配置してある。中間に位置する支間では、緊張したあとの緊張材を切断するための空間を、負の曲げモーメントが発生しない区間のアンボンド部、すなわち主に正の曲げモーメントが発生する区間のアンボンド部に形成してある。【選択図】図１
2008127954.tif 000002
【特許請求の範囲】
【請求項１】
少なくとも３箇所で支持するコンクリートの連続構造体であって、
構造体の上縁側に負の曲げモーメント抵抗用の緊張材を直線配置してあり、
配置する緊張材はコンクリートへ付着する付着部と、付着しないアンボンド部とを設けてあり、
付着部は主に負の曲げモーメントが発生する区間に配置してあり、
付着しないアンボンド部は、主に負の曲げモーメントが発生しない区間に配置してあり、
中間に位置する支間において、緊張した後の緊張材を切断するための空間を、負の曲げモーメントが発生しない区間のアンボンド部に形成した、
コンクリート連続構造体。
【請求項２】
少なくとも３箇所で支持するコンクリートの連続構造体の製造方法であって、
構造体の上縁側に負の曲げモーメント抵抗用の緊張材を直線配置し、
配置する緊張材はコンクリートへ付着する付着部と、付着しないアンボンド部とを設け、
付着部は主に負の曲げモーメントが発生する区間に配置し、
付着しないアンボンド部は、負の曲げモーメントが発生しない区間に配置し、
緊張材に、プレテンション工法によってプレストレスを導入し、
構造体のコンクリートの養生後に、緊張した後の緊張材を、
中間に位置する支間において、負の曲げモーメントが発生しない区間のアンボンド部で切断して行う、
コンクリート連続構造体の製造方法。
【請求項３】
緊張材はＰＣ鋼材である、請求項１記載のコンクリート連続構造体。
【請求項４】
緊張材はＰＣ鋼材である、請求項２記載のコンクリート連続構造体の製造方法。
【発明の詳細な説明】
【技術分野】
【０００１】
本発明は、コンクリート連続構造体及びコンクリート連続構造体の製造方法に関するものである。
【背景技術】
【０００２】
従来の道路橋などでは、床版の支間方向に直線配置されたＰＣ鋼材にプレテンション方式のプレストレスを導入した多径間連続フルプレキャストスラブを用いて構築している。
この構造では、支点の間の支間部の死荷重や施工時の荷重による正の曲げモーメントに対して、部材図芯軸より下縁側に配置したＰＣ鋼材にプレストレスを導入することによって抵抗させている。
一方、桁の上の支点部の負の曲げモーメントに対しては、ほぼ部材図芯軸位置にプレストレスを導入できることにより抵抗させている。
これは桁上においては床版の断面の高さが変化しているためである。
【特許文献１】特開平１１−２４７１０９号公報
【発明の開示】
【発明が解決しようとする課題】
【０００３】
前記したような従来のコンクリート連続構造体にあっては、次のような問題点がある。
＜１＞  桁上において断面の高さが変化しない場合、または変化の程度が小さい場合には、支点部のプレストレスが部材図芯軸付近に配置されるため、負の曲げモーメントのみに対して有効な、言い換えれば正の曲げモーメントに対するプレストレスの効果を低減しないようなプレストレスを導入できない。
＜２＞  そのような理由によって、多径間連続のプレキャスト部材を構築するに至っていない。
【課題を解決するための手段】
【０００４】
上記のような課題を解決するために、本発明のコンクリート連続構造体は、少なくとも３箇所で支持するコンクリートの連続構造体であって、構造体の上縁側に負の曲げモーメント抵抗用の緊張材を直線配置してあり、配置する緊張材はコンクリートへ付着する付着部と、付着しないアンボンド部とを設けてあり、付着部は主に負の曲げモーメントが発生する区間に配置してあり、付着しないアンボンド部は、主に負の曲げモーメントが発生しない区間に配置してあり、中間に位置する支間において、緊張した後の緊張材を切断するための空間を、負の曲げモーメントが発生しない区間のアンボンド部に形成したコンクリート連続構造体を特徴としたものである。
【０００５】
さらに本発明のコンクリート連続構造体の製造方法は、少なくとも３箇所で支持するコンクリートの連続構造体の製造方法であって、構造体の上縁側に負の曲げモーメント抵抗用の緊張材を直線配置し、配置する緊張材はコンクリートへ付着する付着部と、付着しないアンボンド部とを設け、付着部は主に負の曲げモーメントが発生する区間に配置し、付着しないアンボンド部は、負の曲げモーメントが発生しない区間に配置し、緊張材に、プレテンション工法によってプレストレスを導入し、構造体のコンクリートの養生後に、緊張した後の緊張材を、中間に位置する支間において、負の曲げモーメントが発生しない区間のアンボンド部で切断して行うコンクリート連続構造体の製造方法を特徴としたものである。
【発明の効果】
【０００６】
本発明のコンクリート連続構造体及びコンクリート連続構造体の製造方法は以上説明したようになるから次のような効果を得ることができる。
＜１＞  多段に配置したＰＣ鋼材のうち、上縁側の負の曲げモーメント抵抗用のＰＣ鋼材をボンドコントロールすることにより、支間部、支点部において必要に応じた的確なプレストレスを導入することができる。
＜２＞  そのために、従来の工法よりも効率的、かつ経済的にコンクリート連続構造体を構築することができる。
【発明を実施するための最良の形態】
【０００７】
以下図面を参照にしながら本発明の好適な実施の形態を詳細に説明する。
【実施例】
【０００８】
＜１＞  対象物。
本発明の対象とするコンクリート連続構造体は、例えば次のようなものが考えられる。
建築構造物、プレキャスト型枠、ハーフプレキャスト版、フルプレキャスト版、ハンチを有するスラブ、梁、その他のＰＣ部材。
【０００９】
＜２＞連続構造体。
本発明のコンクリート連続構造体１は、少なくとも３箇所以上の支点２に架設するコンクリートの連続構造体１である。
図の実施例では４箇所の支点２上に搭載するコンクリート連続構造体１について説明するが、この支点数に制限されるものではない。
【００１０】
＜３＞プレキャストコンクリート。
さらに本発明のコンクリート連続構造体１は、プレキャストコンクリートである。
すなわち、工場において製造し、それを現場に運搬して組み立てるためのコンクリート連続構造体１である。
【００１１】
＜４＞ＰＣ鋼線３の配置。
さらに本発明のコンクリート連続構造体１は、コンクリートの内部にＰＣ鋼線３を配置し、このＰＣ鋼線３に緊張力を導入したプレストレスコンクリート連続構造体１である。
そして、ＰＣ鋼線３のうちの少なくとも１本は、構造体１の上縁側に負の曲げモーメント抵抗用のＰＣ鋼線３１として直線状に配置する。
この直線配置の負の曲げモーメント抵抗用のＰＣ鋼線３１は、その一部は鋼線を露出させてコンクリートと完全に付着する付着部３１１を形成する。
他の部分は鋼管などで被覆してコンクリートとの付着を遮断したアンボンド部３１２を形成する。
【００１２】
＜５＞付着部３１１の位置の決定。
直線配置した負の曲げモーメント抵抗用のＰＣ鋼線３１の付着部３１１とアンボンド部３１２との位置の決定は次の通りである。
すなわち「付着部３１１」はコンクリート連続構造体１を現場に運搬して支点２上に搭載した場合に、コンクリート連続構造体１に負の曲げモーメントが発生する区間、言い換えれば正の曲げモーメントが働かない区間に配置して付着を確保する。
付着しない「アンボンド部３１２」は、コンクリート連続構造体１を現場に運搬して支点２上に搭載した場合に、コンクリート連続構造体１に負の曲げモーメントが発生しない、あるいは正の曲げモーメントが発生する支間２部で付着を切るように配置する。
負の曲げモーメントが働かない区間とは、コンクリート連続構造体１において中央径間のスパン中央、端部である。
ＰＣ鋼線３とコンクリートを付着させないためには、ＰＣ鋼線３の外周を鋼管で被覆するなどの方法が知られている。
【００１３】
＜６＞プレテンションによる緊張。
ＰＣ鋼線３に緊張力を導入する場合には、プレテンション工法で行う。
すなわち、製造工程において、型枠の内部に配置したＰＣ鋼線３をジャッキで緊張し、その状態で型枠の内部にコンクリートを打設し、コンクリートが硬化したらＰＣ鋼線３を緊張していたジャッキの緊張を解除する。
負曲げ抵抗用のＰＣ鋼線３１の両端はコンクリート連続構造体１に対してアンボンド部３１２を介して固定しているから、コンクリート連続構造体１には両側のアンボンド部３１２の内側の区間にプレストレスが与えられる。
【００１４】
＜７＞ＰＣ鋼線３の切断。
本発明のコンクリート連続構造体１では、これを３径間以上の支間に架設適用する場合に、内部に配置した負の曲げモーメント抵抗用のＰＣ鋼線３１を中間支間部で切断することを特徴とする。
切断のために、切断予定位置に発泡スチロールなどのブロックを埋め込んだ箱抜きを行い、コンクリートの存在しない切断用の箱抜空間４を形成しておく。
この箱抜き空間４の内部に負曲げ抵抗用のＰＣ鋼線３１のアンボンド部３１２が位置している。
切断に際しては、箱抜空間４のブロックを除去して負曲げ抵抗用のＰＣ鋼線３１のアンボンド部３１２を露出させ、例えばガスバーナーを使用して切断する。
そのバーナーの火力によって負曲げ抵抗用のＰＣ鋼線３１を徐々に加熱して切断すると、刃物で瞬時に切断する場合と比較して、ＰＣ鋼線３１の緊張力を徐々に開放することができ、安全である。
【００１５】
＜８＞ＰＣ鋼線３１の切断位置。
負の曲げモーメント抵抗用のＰＣ鋼線３１を切断する位置は、負の曲げモーメントが発生しない、あるいは主に正の曲げモーメントが発生する支間部、すなわち２径間目の支点２に挟まれた位置である。
すると１本の負の曲げモーメント抵抗用のＰＣ鋼線３１は、切断によって複数の区間に分割され、中間支点間部付近の付着部３１１と、両端支間および中間支間部のアンボンド部３１２とが形成される。  
【００１６】
＜９＞ハーフプレキャスト体。
上記した構成のコンクリート連続構造体１は、ハーフプレキャスト体で構成することができる。
ハーフプレキャスト体の場合にはコンクリート連続構造体１に、場所打ちコンクリートと一体性を高めるため、例えば凹凸を形成したり、突出鉄筋などを配置しておく。
現場ではその鉄筋を含む状態で場所打ちコンクリートを打設して一体化しコンクリート連続構造体１を製造する。
【００１７】
＜１０＞フルプレキャスト体。
本発明のコンクリート連続構造体１を、フルプレキャスト体として構成することもできる。
【００１８】
＜１１＞その他の応用。
本発明の構成はスラブに限定されるものではなく、多径間連続梁として利用することもできる。
また図ではＰＣ鋼線３を２段に配置した実施例について説明しているが、２段に限定されるものではない。
さらにＰＣ鋼線３以外の緊張材、例えばＰＣ鋼棒、連続繊維棒体などを使用して構成することもできる。
【図面の簡単な説明】
【００１９】
【図１】本発明のコンクリート連続構造体の実施例の斜視図。
【図２】図１のコンクリート連続構造体の断面図。
【図３】負の曲げモーメント抵抗用ＰＣ鋼線を切断した状態の説明図。
【図４】負の曲げモーメント抵抗用ＰＣ鋼線を切断したコンクリート連続構造体を支点に搭載した状態の説明図。
【符号の説明】
【００２０】
１：コンクリート連続構造体
２：支点
３：ＰＣ鋼線
３１：負曲げ抵抗用のＰＣ鋼線
３１１：負曲げ抵抗用のＰＣ鋼線の付着部
３１２：負曲げ抵抗用のＰＣ鋼線のアンボンド部
４：箱抜空間
【図１】
2008127954.tif 000003
【図２】
2008127954.tif 000004
【図３】
2008127954.tif 000005
【図４】
2008127954.tif 000006